(57)【要約】【課題】ユーザが意図して登録したメッセージを管理可能な情報収集管理システムを提供する。【解決手段】キーワード抽出サーバ３０は、キーワード抽出部３１を有する。キーワード抽出部３１は、ユーザから送信されたメッセージを受け取り、辞書情報を用いて、メッセージからキーワードを抽出する。キーワード抽出部３１は、抽出したキーワード及びメッセージを、メッセージを送信したユーザのユーザ情報と対応付けてデータベースサーバ４０に登録する。【選択図】図１
2009205640.tif 000002
【特許請求の範囲】
【請求項１】
ユーザが送信したメッセージを受け取り、辞書情報を用いて前記メッセージからキーワードを抽出し、該抽出したキーワード及び前記メッセージを、前記メッセージを送信したユーザのユーザ情報と対応付けてデータベースに登録するキーワード抽出部を備える情報収集管理システム。
【請求項２】
前記データベースを参照し、前記登録されたキーワードの中から、検索者により指定された検索条件に合致するキーワードを検索するデータベース検索部を更に備える、請求項１に記載の情報収集管理システム。
【請求項３】
前記キーワード抽出部は、抽出したキーワードと、該キーワードの抽出元のメッセージを特定する情報との対応関係を前記データベースに登録し、前記データベース検索部は、検索条件に合致するキーワードを検索すると、前記キーワード抽出元のメッセージを特定する情報を参照して、当該抽出元のメッセージから抽出された他のキーワードを検索する、請求項２に記載の情報収集管理システム。
【請求項４】
前記データベース検索部は、前記検索されたキーワードと、前記他のキーワードとの一覧を、前記検索者に提示する、請求項３に記載の情報収集管理システム。
【請求項５】
前記メッセージを送信したユーザから、メッセージ及びキーワードの少なくとも一方の編集要求を受けると、該編集要求に従って、前記データベースに登録された当該ユーザのメッセージ及びキーワードの少なくとも一方を編集・修正するデータベース編集部を更に備える、請求項２乃至４の何れか一に記載の情報収集管理システム。
【請求項６】
前記データベース編集部は、前記ユーザから、前記メッセージの公開／非公開を設定する旨の要求を受けると、該要求に従って、前記データベースに登録されたメッセージに対し公開又は非公開を設定する、請求項５に記載の情報収集管理システム。
【請求項７】
前記データベース検索部は、前記キーワードの検索後、前記検索されたキーワードの抽出元のメッセージに対して公開が設定されているか否かを判断し、公開が設定されているときは、前記検索者に、前記抽出元のメッセージを提示する、請求項６に記載の情報収集管理システム。
【請求項８】
前記データベースに登録された情報、及び、前記検索要求で検索条件に指定された検索キーワードに関する情報を集計する統計情報集計部を更に備える、請求項１乃至７の何れか一に記載の情報収集管理システム。
【請求項９】
ユーザが送信した音声メッセージをテキスト情報に変換し、該テキスト情報に変換されたメッセージを前記キーワード抽出部に渡す音声テキスト変換部を更に有する、請求項１乃至８の何れか一に記載の情報収集管理システム。
【請求項１０】
前記音声テキスト変換部は、携帯端末が有するＰＴＴ（Push-to-Talk）機能を用いて送信された音声メッセージをテキスト情報に変換する、請求項９に記載の情報収集管理システム。
【請求項１１】
前記キーワード抽出部は、前記ユーザが送信した電子メールから、前記キーワード抽出を行う、請求項１乃至８の何れか一に記載の情報収集管理システム。
【請求項１２】
コンピュータを用い、ユーザから送信されたメッセージに含まれる情報を収集する情報収集管理方法であって、
前記コンピュータが、ユーザが送信したメッセージを受け取り、辞書情報を用いて前記メッセージからキーワードを抽出するステップと、
前記コンピュータが、前記抽出されたキーワード及び前記メッセージを、前記メッセージを送信したユーザのユーザ情報と対応付けてデータベースに登録するステップとを有する情報収集管理方法。
【請求項１３】
コンピュータに、ユーザから送信されたメッセージに含まれる情報を収集する処理を実行させるプログラムであって、前記コンピュータに、
ユーザが送信したメッセージを受け取り、辞書情報を用いて前記メッセージからキーワードを抽出する処理と、
前記抽出されたキーワード及び前記メッセージを、前記メッセージを送信したユーザのユーザ情報と対応付けてデータベースに登録する処理とを実行させるプログラム。
【発明の詳細な説明】
【技術分野】
【０００１】
本発明は、情報収集管理システム、方法、及び、プログラムに関し、更に詳しくは、情報をデータベースに登録し管理する情報収集管理システム、方法、及び、プログラムに関する。
【背景技術】
【０００２】
口コミ情報を収集し、表示する情報収集管理システムがある。一般に、情報収集管理システムでは、特定の話題、例えば店舗や商品などについて語り合う場が設けられ、利用者は、そこを訪れて、書き込みや閲覧を行っている。通常、情報収集管理システムでは、特定の話題について独立して登録及び表示する形式を採用するので、利用者が意図して特定の話題を語る場を訪れ、情報を登録しない限り、情報を蓄積することはできない。
【０００３】
上記に対し、特許文献１には、人の集まる場所にマイクを設置し、その場所を訪れた人の会話を取得して、情報を蓄積する技術が記載されている。特許文献１では、マイクが拾った会話を、音声認識エンジンでテキスト化する。テキスト化された会話情報のうち、所定のキーワードを含む所定文字数の会話部分を抽出し、キーワード、分類項目名と、抽出した文字列とをデータベースに送り、データベース登録する。
【特許文献１】特開２００２−１９７２５２号公報
【発明の開示】
【発明が解決しようとする課題】
【０００４】
しかし、特許文献１では、公共の場所にマイクを設置して会話を収集しており、会話者がデータベースに登録されることを意図していない音声を収集している。このため、特許文献１では、特定の話題について集中的に情報を収集したいと思っても、その特定の情報を収集できるとは限らず、リサーチ者が特定の話題についての情報を収集して利用するといった用途には適用できない。また、発言者が誰であるかを特定できないので、発言者が、後に、データベースに登録された自身の発言内容の修正などを行うこともできない。
【０００５】
本発明は、ユーザが意図して登録したメッセージを管理可能な情報収集管理システム、方法、及び、プログラムを提供することを目的とする。
【課題を解決するための手段】
【０００６】
上記目的を達成するために、本発明の情報収集管理システムは、ユーザが送信したメッセージを受け取り、辞書情報を用いて前記メッセージからキーワードを抽出し、該抽出したキーワード及び前記メッセージを、前記メッセージを送信したユーザのユーザ情報と対応付けてデータベースに登録するキーワード抽出部を備えることを特徴とする。
【０００７】
本発明の情報収集管理方法は、コンピュータを用い、ユーザから送信されたメッセージに含まれる情報を収集する情報収集管理方法であって、前記コンピュータが、ユーザが送信したメッセージを受け取り、辞書情報を用いて前記メッセージからキーワードを抽出するステップと、前記コンピュータが、前記抽出されたキーワード及び前記メッセージを、前記メッセージを送信したユーザのユーザ情報と対応付けてデータベースに登録するステップとを有することを特徴とする。
【０００８】
本発明のプログラムは、コンピュータに、ユーザから送信されたメッセージに含まれる情報を収集する処理を実行させるプログラムであって、前記コンピュータに、ユーザが送信したメッセージを受け取り、辞書情報を用いて前記メッセージからキーワードを抽出する処理と、前記抽出されたキーワード及び前記メッセージを、前記メッセージを送信したユーザのユーザ情報と対応付けてデータベースに登録する処理とを実行させることを特徴とする。
【発明の効果】
【０００９】
本発明の情報収集管理システム、方法、及び、プログラムは、ユーザが意図して登録したメッセージを管理することができる。
【発明を実施するための最良の形態】
【００１０】
以下、図面を参照し、本発明の実施の形態を詳細に説明する。図１は、本発明の第１実施形態の情報収集管理システムの構成を示している。情報収集管理システムは、音声認識サーバ２０、キーワード抽出サーバ３０、データベースサーバ４０、及び、ＷＥＢサーバ５０を備える。音声認識サーバ２０、キーワード抽出サーバ３０、データベースサーバ４０、及び、ＷＥＢサーバ５０は、携帯電話サービスを提供している通信会社内に設置されているサーバ等の情報処理装置である。これらサーバは、ＬＡＮなどのネットワークを介して相互に接続されている。これらサーバの各機能は、サーバ上で所定のプログラムを実行することで実現できる。
【００１１】
携帯端末１０は、携帯電話機などの電話端末であり、ＰＴＴ（Push-to-Talk）機能が搭載されている。ユーザは、登録しておきたいメッセージがあるときは、通信相手に音声認識サーバ２０を選び、音声認識サーバ２０に、音声メッセージを送信する。或いは、ＰＴＴにより他の人と会話を行っているときに、登録したいメッセージが発生した場合は、ＰＴＴによる通話相手に音声認識サーバ２０を追加し、音声メッセージの送信先に音声認識サーバ２０を含める。ユーザが送信する音声メッセージの内容は任意である。ユーザは、例えば、情報収集管理システムを利用して、ある製品についてのアンケートなどが実施されているときは、その製品に対するコメントなどを、音声メッセージで音声認識サーバ２０に送信する。
【００１２】
音声認識サーバ２０は、音声テキスト変換部２１を有する。音声テキスト変換部２１は、携帯端末１０が送信した音声メッセージを、テキスト情報へ変換する。音声メッセージからテキスト情報への変換には、既存技術を用いることができる。キーワード抽出サーバ３０は、キーワード抽出部３１を有する。キーワード抽出部３１は、辞書情報を用いて、音声認識サーバ２０にてテキスト情報へ変換された文字列から、キーワードを抽出する。辞書には、あらかじめ用意した固定的な辞書と、ユーザが任意に設定可能なユーザ辞書とを用いることができる。辞書には、文書認識に必要な単語が登録されている。各単語には、キーワード／非キーワードが設定されている。キーワード抽出部３１は、文字列を単語に分解し、キーワード設定された単語を、抽出キーワードとする。
【００１３】
音声認識サーバ２０は、キーワード抽出元の音声メッセージに対応するテキスト情報を、データベースサーバ４０内のデータベースに登録する。キーワード抽出サーバ３０は、抽出したキーワードを、データベースサーバ４０内のデータベースに登録する。キーワード抽出サーバ３０は、抽出キーワードを、キーワード抽出元の音声メッセージを送信したユーザのユーザ情報と対応付けてデータベースに登録する。また、キーワード抽出サーバ３０は、抽出キーワードを、キーワード抽出元のテキスト情報との対応関係を、データベースに登録する。データベースサーバ４０は、抽出キーワード、及び、テキスト情報のほかに、ユーザ認証に必要な情報を保持する。
【００１４】
例えば、ユーザは、携帯端末１０を用いて、音声認識サーバ２０に、音声メッセージ「木曜２１時のドラマＸＸＸに出演の○○」を送信する。音声認識サーバ２０は、このメッセージをテキスト情報に変換し、データベースサーバ４０内のデータベースに登録する。キーワード抽出サーバ３０が保持する辞書情報には、「ドラマＸＸＸ」、「○○」がキーワード設定された単語として登録されており、キーワード抽出サーバ３０は、テキスト化されたメッセージから「ドラマＸＸＸ」、「○○」をキーワードとして抽出する。キーワード抽出サーバ３０は、抽出したキーワードを、メッセージ送信元のユーザ情報と共に、データベースサーバ４０内のデータベースに登録する。
【００１５】
ＷＥＢアクセス端末６０は、音声メッセージを送信したユーザや、アンケートの実施者、情報収集管理システムの情報利用者（検索者）などによって使用される。ＷＥＢアクセス端末６０は、インターネットに接続する機能を有する携帯電話機やＰＣ等の情報処理機器であり、ＷＥＢサーバ５０へアクセスする機能を有する。ＷＥＢサーバ５０は、ＷＥＢアクセス端末６０からのアクセスを受け付け、ユーザ認証、ポータル画面提供、キーワード検索画面提供などの機能を提供する。
【００１６】
ＷＥＢサーバ５０は、データベース検索部５１、データベース編集部５２、及び、統計情報集計部５３を有する。データベース検索部５１は、検索者からの検索要求を受け、データベースサーバ４０内のデータベースを参照して、検索条件に合致するメッセージやキーワードを検索する。データベース検索部５１は、検索結果を、要求元のＷＥＢアクセス端末６０に返す。統計情報集計部５３は、データベースに登録された情報、及び、検索要求で検索条件に指定された検索キーワードなどに関する情報を集計する。統計情報集計部５３は、ＷＥＢアクセス端末６０から集計情報の取得要求を受けると、要求元のＷＥＢアクセス端末６０に、集計情報を送信する。
【００１７】
データベース編集部５２は、音声メッセージの送信者であるユーザからの編集要求を受け、データベースに登録された当該ユーザのメッセージやキーワードの編集・修正を行う。メッセージの編集では、例えば、テキスト情報への変換の際の誤変換を修正する。キーワードの編集では、登録キーワードに対するカテゴリ設定などを行う。ユーザは、データベース編集部５２を用いることで、ユーザ情報の検索及び編集も可能である。
【００１８】
なお、図１では、携帯端末１０が音声メッセージ送信を行うことで、データベースサーバ４０へテキスト情報及びキーワードの登録が行われることとしているが、テキスト情報及びキーワードの登録を、ＷＥＢアクセス端末６０から、インターネットを介したＷＥＢ画面上で行うこととしてもよい。また、携帯端末１０からの情報収集に際しては、ＰＴＴに代えて、又は、これに加えて、通常の音声電話から情報収集してもよい。通常の電話を用いる場合は、音声認識サーバ２０用の電話番号に電話をかけ、音声認識サーバ２０に音声メッセージを入力すればよい。
【００１９】
図２に、データベース登録の際のシーケンスを示す。ユーザは、携帯端末１０を操作し、ＰＴＴ機能を用いて、記録しておきたいメモなどを、音声で音声認識サーバ２０へ送信する（ステップＡ１）。ユーザは、携帯端末１０が使える環境であれば、任意の場所、及び、任意の時間に、音声認識サーバ２０に、登録しておきたい音声メッセージ（音声メモ）を、送信可能である。このため、ふと思いついたことなどを、気軽に音声メッセージとして送信可能である。このとき、ユーザは、音声メッセージの内容のジャンルや、カテゴリなどを意識する必要はない。
【００２０】
音声認識サーバ２０は、携帯端末１０が送信した音声メッセージを受信し（ステップＡ２）、音声メッセージをテキスト情報に変換する（ステップＡ３）。音声認識サーバ２０は、変換したテキスト情報を、データベースサーバ４０に格納する（ステップＡ４）。データベースサーバ４０は、テキスト情報の格納後、登録の際にテキスト情報に対して割り当てたテキストＩＤを、音声認識サーバに返却する。音声認識サーバ２０は、データベースサーバ４０に登録したテキスト情報のテキストＩＤを、キーワード抽出サーバ３０へ送信する（ステップＡ５）。
【００２１】
キーワード抽出サーバ３０は、テキストＩＤを基にデータベースサーバ４０を検索し、テキスト情報を取得する（ステップＡ６）。キーワード抽出サーバ３０は、取得したテキスト情報から、辞書情報を用いてキーワードを抽出し（ステップＡ７）、抽出したキーワードを、登録日時、登録者情報などと共に、データベースサーバ４０に格納する（ステップＡ８）。登録日時は、音声メッセージが発信された日時とする。登録者情報は、ユーザを一意に特定するＩＤである。抽出されたキーワードが、データベース編集部５２を用いて既にカテゴリ設定されているキーワードと一致するときは、抽出されたキーワードに対して、そのカテゴリを設定する。カテゴリ設定がない場合は、未分類とする。
【００２２】
キーワード抽出サーバ３０は、抽出したキーワードをデータベース登録する際に、抽出キーワードと抽出元テキスト情報（メッセージ）との対応関係を管理する情報を、データベースに登録する。対応関係は、例えば、抽出元のテキスト情報のＩＤと、そのテキスト情報から抽出されたキーワードのＩＤの組で管理する。データベースに、テキスト情報のＩＤとキーワードのＩＤとを管理するテーブルを設けておく。キーワード抽出サーバ３０は、テキスト情報からキーワードを抽出すると、そのテキスト情報のＩＤを保持するエントリに、抽出キーワードのＩＤを追加登録していく。
【００２３】
図３に、システム利用時のシーケンスを示す。ユーザは、システム利用時に、ＷＥＢアクセス端末６０を使用して、ＷＥＢサーバ５０にログインする（ステップＢ１）。ここでいうユーザとは、ステップＡ１で音声メッセージを送信したユーザ、検索を行う検索者、統計情報を利用しようとする統計情報利用者である。ＷＥＢサーバ５０は、データベースサーバ４０にアクセスしてデータベースを検索し、ユーザ認証などのログイン処理を行う（ステップＢ２）。ログイン後、ＷＥＢサーバ５０は、ＷＥＢアクセス端末６０にログイン結果を返す。
【００２４】
ユーザは、任意のタイミングで、ＷＥＢアクセス端末６０を用いてＷＥＢサーバ５０にアクセスし、データベースサーバ４０に登録されたキーワード情報の検索を行う（ステップＢ３）。検索では、ユーザは、自身が知りたい、又は、興味があるキーワードを、検索条件として指定する。また、ユーザは、カテゴリを、検索条件として指定できる。検索範囲は、ユーザ自身が登録したキーワードのみ、或いは、全ユーザが登録したキーワードのように指定できる。ＷＥＢサーバ５０は、データベースサーバ４０にアクセスし、データベース検索部５１により、検索条件に合致するキーワードを検索する。ＷＥＢサーバ５０は、検索結果を、ＷＥＢアクセス端末６０に送信する（ステップＢ４）。
【００２５】
ユーザは、ステップＢ３で、検索キーワードの抽出元のメッセージに含まれる別のキーワードの送信を要求できる。この場合、データベース検索部５１は、検索条件に合致するキーワードを検索すると、検索されたキーワードの抽出元のメッセージを特定する情報を参照して、当該抽出元のメッセージから抽出された他のキーワードを検索する。検索されたキーワードの抽出元となるテキスト情報から抽出されたキーワードが、検索キーワードの他にもある場合は、そのキーワードも取得する。ステップＢ４では、ＷＥＢサーバ５０は、検索キーワードの抽出元のテキスト情報から抽出されたキーワードの一覧を作成し、これをＷＥＢアクセス端末６０に送信してユーザに提示する。
【００２６】
ユーザは、任意のタイミングで、ＷＥＢアクセス端末６０を使用してＷＥＢサーバ５０へアクセスし、自身に関連するテキスト情報の参照、編集、削除、テキスト情報の公開／非公開設定などを行う（ステップＢ５）。ユーザは、例えば、自身が登録したテキスト情報を参照し、不要なテキスト情報の削除を指示する。または、自身が送信した音声メッセージに対応するテキスト情報を表示させ、テキスト情報の誤りの修正を指示する。ＷＥＢサーバ５０は、データベース編集部５２により、データベースサーバ４０内のデータベースを更新する（ステップＢ６）。
【００２７】
ユーザは、ステップＢ５で、自身が送信した音声メッセージに対応するテキスト情報について、テキスト情報を公開するか否かを設定できる。ユーザは、公開可能とする場合は、テキスト情報に対して公開を設定し、公開不可とする場合は非公開を設定する。ステップＢ３のキーワード検索では、データベース検索部５１は、検索したキーワードの抽出元のテキスト情報に対して公開が設定されているか否かを判断する。公開が設定されているときは、検索キーワードと共に、抽出元のテキスト情報を、ユーザのＷＥＢアクセス端末６０に送信する。
【００２８】
ステップＢ５では、ユーザは、登録キーワードに対して、カテゴリ設定が可能である。ユーザは、例えば、あるキーワード「×××」について「カテゴリＡ」を設定する。この場合、その後に、そのキーワード「×××」を含む音声メッセージを音声認識サーバ２０に送信されたときは、ステップＡ８（図２）にてキーワード「×××」がデータベースに登録される際に、「カテゴリＡ」を自動設定することができる。カテゴリの自動設定は、ユーザ自身が設定したカテゴリを、データベースに登録するようにすることができる。或いは、他人が設定したものも含めて、抽出キーワードのカテゴリを自動設定してもよい。同一キーワードに対して異なるユーザにより複数のカテゴリが設定されているときは、自身が設定したカテゴリを優先し、或いは、複数のカテゴリを自動設定するなどの方法が考えられる。
【００２９】
ユーザは、任意のタイミングで、ＷＥＢアクセス端末６０を使用してＷＥＢサーバ５０へアクセスし、ユーザ情報の参照・編集を行う（ステップＢ７）。ユーザは、自身の登録者情報の変更が必要なときは、変更後の情報を入力する。ＷＥＢサーバ５０は、データベース編集部５２により、入力された情報でデータベースを更新する（ステップＢ８）。
【００３０】
ＷＥＢサーバ５０は、データベースサーバ４０へアクセスし、登録されているキーワード情報の集計を行う（ステップＢ９）。ステップＢ９では、例えば、登録されているキーワードごとに、登録数や検索回数などの統計情報を集計する。この処理は、定期的に自動で実行される。統計情報の利用者は、ＷＥＢアクセス端末６０を用いて、ＷＥＢサーバ５０へアクセスし、集計された統計情報を取得する（ステップＢ１０）。集計された統計情報は、例えば、前日のキーワードランキングや、今週のランキング情報などの形で利用される。
【００３１】
本実施形態では、ユーザは、音声メッセージを音声認識サーバに送信することで特定の話題についてのコメントなどを登録できるので、容易に、メッセージ登録が可能である。ユーザは、自らの意思で、残しておきたい内容のメッセージを音声認識サーバ２０に送信するので、データベースに、意図して登録したメッセージを登録可能である。また、本実施形態では、キーワード抽出サーバ３０は、ユーザが送信したメッセージからキーワードを抽出し、抽出したキーワードを、データベース登録する。情報収集管理システムは、送信された音声メッセージから自動的にキーワードを抽出して管理するため、メッセージ発信者が登録先や口コミ情報の登録を意識しなくても、自動的に、情報の収集・蓄積が可能である。
【００３２】
本実施形態では、ユーザが送信した音声メッセージに対応するテキスト情報からキーワードを抽出するため、データベースに、キーワード単位で、情報を格納・蓄積できる。データベース検索の際には、該当するキーワードだけでなく、そのキーワードの抽出元となったメッセージから抽出された別のキーワードを、検索キーワードと併せて、ユーザに提示することができる。この場合、他人が登録したキーワードを、容易に参照することができ、提示された内容を、マーケティング情報として容易に利用できる。また、本実施形態では、音声メッセージの登録にＰＴＴを用いており、ＰＴＴの新たな利用形態を提供できる。データベース検索に際しては、ユーザは、ＷＥＢサーバ５０を介してデータベース検索を行うので、インターネットに接続可能な端末があれば、どこからでも登録した情報を参照可能である。
【００３３】
情報収集管理システムの利用形態としては、下記のようなものが考えられる。商品開発者等は、特定の商品等の評判を収集するため、特定のキーワードを含むメッセージの送信を、ユーザに呼びかけておく。商品開発者は、例えば、ＷＥＢサイト上などに、特定商品についての口コミ情報の登録をお願いする旨の表示を行い、多くの人に、特定商品についての口コミ情報収集が行われていることを告知する。このようにすることで、特定商品の名称を含む音声メッセージが、大量に送信されることを期待できる。ユーザは、携帯端末１０を用い、気が向いたときに、その特定商品の名称を含む音声メッセージを、音声認識サーバ２０に送信する。ユーザは、携帯端末１０を用いて気軽にメッセージ登録が可能なため、様々なユーザがメッセージ登録を行うことで、商品の評判等の情報を大量に収集できることが期待できる。
【００３４】
続いて、本発明の第２実施形態を説明する。図４は、本発明の第２実施形態の情報収集管理システムにおけるキーワード登録の際のシーケンスを示している。本実施形態では、音声認識サーバ２０（図１）に代えて、メールサーバ７０を用いる。メールサーバ７０は、携帯電話サービスを提供している通信会社などに設置される情報処理装置である。メールサーバ７０は、メールを受信する機能、及び、受信したメールの本文をデータベースサーバ４０内のデータベースに登録する機能を有する。
【００３５】
ユーザは、携帯端末１０を操作し、電子メールにより、記録しておきたいメモなどをメールサーバ７０へ送信する（ステップＣ１）。ユーザは、電子メールの送信先アドレスに、メールサーバ７０のメールアドレスを指定して、メール送信を行う。或いは、他人に電子メールを送る際に、ｃｃ（カーボンコピー）などの欄にメールサーバ７０のメールアドレスを指定してもよい。メールサーバ７０は、携帯端末１０が送信した電子メールを受信し、受信した電子メールの本文を、データベースサーバ４０に格納する（ステップＣ２）。データベースサーバ４０は、テキスト情報の格納後、登録の際にテキスト情報に対して割り当てたテキストＩＤを、メールサーバ７０に返却する。
【００３６】
メールサーバ７０は、データベースサーバ４０に登録したテキスト情報のテキストＩＤを、キーワード抽出サーバ３０へ送信する（ステップＣ３）。キーワード抽出サーバ３０は、テキストＩＤを基にデータベースサーバ４０を検索し、テキスト情報を取得する（ステップＣ４）。キーワード抽出サーバ３０は、取得したテキスト情報から、辞書情報を用いてキーワードを抽出し（ステップＣ５）、抽出したキーワードを、登録日時、登録者情報などと共に、データベースサーバ４０に格納する（ステップＣ６）。ステップＣ４〜ステップＣ６の動作は、第１実施形態における動作（図２のステップＡ６〜Ａ８）と同じである。
【００３７】
本実施形態では、メッセージ登録に、電子メールを用いる。この場合、携帯端末１０のみならず、ＰＣ（パーソナルコンピュータ）などを用いたメッセージ登録も可能である。また、携帯端末１０がＰＴＴ機能を有している必要がないので、ＰＴＴ機能に対応していない携帯端末１０からのメッセージ登録も可能である。このため、幅広いユーザが利用できるという効果が得られる。その他の効果は、第１実施形態と同様である。
【００３８】
以上、本発明をその好適な実施形態に基づいて説明したが、本発明の情報収集管理システム、方法、及び、プログラムは、上記実施形態にのみ限定されるものではなく、上記実施形態の構成から種々の修正及び変更を施したものも、本発明の範囲に含まれる。
【図面の簡単な説明】
【００３９】
【図１】本発明の第１実施形態の情報収集管理システムを示すブロック図。
【図２】メッセージ、キーワード登録時のシーケンスを示す図。
【図３】システム利用時のシーケンスを示す図。
【図４】本発明の第２実施形態の情報収集管理システムにおけるメッセージ、キーワード登録時のシーケンスを示す図。
【符号の説明】
【００４０】
１０：携帯端末
２０：音声認識サーバ
２１：音声テキスト変換部
３０：キーワード抽出サーバ
３１：キーワード抽出部
４０：データベースサーバ
５０：ＷＥＢサーバ
５１：データベース検索部
５２：データベース編集部
５３：統計情報集計部
６０：ＷＥＢアクセス端末
７０：メールサーバ
【図１】
2009205640.tif 000003
【図２】
2009205640.tif 000004
【図３】
2009205640.tif 000005
【図４】
2009205640.tif 000006